(57)【要約】【課題】排水栓を手動で開閉する入浴装置において、排水栓が開の状態のときには、浴槽に給湯することなく浴槽への給湯を禁止する。【解決手段】入浴装置は、排水栓８ａ、８ｂを有する浴槽２と、貯湯槽３と、浴槽２と貯湯槽３とに接続され湯水が流れる湯水移送路と、排水栓８ａ、８ｂと接続されかつ排水栓８ａ、８ｂを開閉する操作部９ａ、９ｂと、操作部９ａ、９ｂの動きを検知する検知部と、湯水の移動を制御する制御部とを備えている。そして、検知部によって排水栓８ａ、８ｂが開であることが検知されると、制御部は、貯湯槽３から浴槽２への湯水の供給を禁止する。【選択図】図４
2018080892.tif 000002
【特許請求の範囲】
【請求項１】
排水栓を有する浴槽と、貯湯槽と、前記浴槽と前記貯湯槽とに接続され湯水が流れる湯水移送路と、前記排水栓と接続されかつ前記排水栓を開閉する操作部と、前記操作部の動きを検知する検知部と、湯水の移動を制御する制御部とを備え、
前記検知部によって前記排水栓が開であることが検知されると、前記制御部は、前記貯湯槽から前記浴槽への湯水の供給を禁止することを特徴とする入浴装置。
【請求項２】
前記排水栓が複数設けられ、前記操作部および前記検知部はそれぞれの前記排水栓に対して設けられたことを特徴とする請求項１に記載の入浴装置。
【請求項３】
前記操作部は前記浴槽の表面から突出して設けられたことを特徴とする請求項１または２に記載の入浴装置。
【請求項４】
前記操作部を押し込むことにより前記排水栓が開になり、前記操作部の押し込みを戻すと前記排水栓が閉となるように構成されたことを特徴とする請求項３に記載の入浴装置。
【請求項５】
前記操作部を所定角度だけ回転させて押し込むことにより前記排水栓が開になり、前記操作部の押し込みを戻すと前記排水栓が閉となるように構成されたことを特徴とする請求項３に記載の入浴装置。 
【請求項６】
前記操作部を前記浴槽の側壁の上面に設けたことを特徴とする請求項１〜５のいずれかに記載の入浴装置。
【請求項７】
１個の前記排水栓と１個の前記操作部とが対となって前記排水栓と前記操作部との対が複数設けられ、それぞれの前記排水栓を、それぞれに対応する前記操作部で操作するか、あるいは、全ての前記排水栓を前記操作部のうちのいずれか１個で操作するか、を選択可能に構成したことを特徴とする請求項１〜３のいずれかに記載の入浴装置。
【請求項８】
前記操作部と前記排水栓とはワイヤーとリンク機構のうち少なくとも一方で接続されたことを特徴とする請求項１〜７のいずれかに記載の入浴装置。
【請求項９】
前記検知部はスイッチまたはセンサであることを特徴とする請求項１〜８のいずれかに記載の入浴装置。
【請求項１０】
前記排水栓が開の状態で前記浴槽への湯水の供給が指示されると、排水栓が開のため湯水の供給が禁止されていることを知らせる報知手段を設けたことを特徴とする請求項１〜９のいずれかに記載の入浴装置。
【請求項１１】
前記操作部は足で操作する部材であることを特徴とする請求項１〜４のいずれかに記載の入浴装置。
【請求項１２】
前記貯湯槽から前記浴槽への湯水の供給を開始した後に前記排水栓が開となったとき、前記制御部は前記貯湯槽から前記浴槽への湯水の供給を停止することを特徴とする請求項１に記載の入浴装置。
【発明の詳細な説明】
【技術分野】
【０００１】
本発明は、貯湯槽と浴槽とを備え、貯湯槽から浴槽に湯水を供給する入浴装置に関するものである。
【背景技術】
【０００２】
浴槽に、槽内底部の湯の有無を検出する湯検出部を設け、給湯器から浴槽へ給湯を開始し所定時間が経過した後、湯検出部から湯無しの信号を得た場合、排水栓が開栓状態にあると認識し、給湯器の作動を停止して浴槽への給湯を停止することが知られている（例えば特許文献１参照）。
【先行技術文献】
【特許文献】
【０００３】
【特許文献１】特開２００３−３１４８９０号公報
【発明の概要】
【発明が解決しようとする課題】
【０００４】
しかしながら、一旦浴槽への給湯を開始してから湯検出を行い、排水栓が開栓状態にあると認識して浴槽への給湯を停止するので、給湯開始から給湯停止までに浴槽へ供給された湯は排水栓から排出されるため、湯を無駄に排出することになっていた。
また、貯湯槽と浴槽とを備え貯湯槽から浴槽へ給湯する入浴装置の場合では、一旦浴槽への給湯を開始してから湯検出を行い、排水栓が開栓状態にあると認識して浴槽への給湯を停止していては、貯湯槽内の湯がほとんど無い状態となり、再度入浴するためには、貯湯槽に湯を貯めるための待ち時間が発生する。
【０００５】
本発明は、このような課題を解決するためになされたものであり、入浴装置において、排水栓が開の状態のときには、浴槽に湯水を供給することなく浴槽への湯水の供給を禁止することを目的とする。
【課題を解決するための手段】
【０００６】
請求項１に係る本発明の入浴装置は、排水栓を有する浴槽と、貯湯槽と、前記浴槽と前記貯湯槽とに接続され湯水が流れる湯水移送路と、前記排水栓と接続されかつ前記排水栓を開閉する操作部と、前記操作部の動きを検知する検知部と、湯水の移動を制御する制御部とを備え、前記検知部によって前記排水栓が開であることが検知されると、前記制御部は、前記貯湯槽から前記浴槽への湯水の供給を禁止することを特徴とする。
【０００７】
この構成によれば、入浴する際に排水栓が開の状態で貯湯槽から浴槽へ湯水が供給されることがなく、貯湯槽の湯水が無駄に排出されることを防止することができる。また、一旦浴槽への湯水の供給を開始してから湯水の検出を行い、排水栓が開の状態にあると認識して浴槽への湯水の供給を停止していては、貯湯槽の湯水がほとんどない状態となり、再度入浴するためには、貯湯槽に湯水を貯めるための待ち時間が発生するが、本発明の入浴装置ではこのような待ち時間が発生することを防止することができる。
【０００８】
請求項２に係る入浴装置は、前記排水栓が複数設けられ、前記操作部および前記検知部はそれぞれの前記排水栓に対して設けられたことを特徴とする。この構成によれば、複数の排水栓のそれぞれに対して開閉状態を選択できるので、浴槽からの湯水の排出量を調整することができる。このため、入浴装置を設置する場所（介護施設や病院など）の排水能力に合わせて排水することができ、利便性が向上する。 
【０００９】
請求項３に係る入浴装置は、前記操作部は前記浴槽の表面から突出して設けられたことを特徴とする。この構成によれば、手のひらや指で操作部を押しやすく操作性がよい。 
【００１０】
請求項４に係る入浴装置は、前記操作部を押し込むことにより前記排水栓が開になり、前記操作部の押し込みを戻すと前記排水栓が閉となるように構成されたことを特徴とする。この構成によれば、操作部を押し込み、その押し込みを戻すことで排水栓を開閉できるので、排水栓の開閉操作が容易である。
【００１１】
請求項５に係る入浴装置は、前記操作部を所定角度だけ回転させて押し込むことにより前記排水栓が開になり、前記操作部の押し込みを戻すと前記排水栓が閉となるように構成されたことを特徴とする。この構成によれば、排水栓を開にするために操作部を押し込む際に、操作部を回転させる必要があるので、誤って操作部を押したり、無意識のうちに介助者の腕等が操作部に当たって押され、排水栓が開となることを防止することができる。
【００１２】
請求項６に係る入浴装置は、前記操作部を前記浴槽の側壁の上面に設けたことを特徴とする。この構成によれば、介助入浴の介助者は、多くの場合、浴槽の側壁の傍らに立って介助することから、浴槽の側壁の傍らに介助者が立った状態で操作部を操作しやすい。 
【００１３】
請求項７に係る入浴装置は、１個の前記排水栓と１個の前記操作部とが対となって前記排水栓と前記操作部との対が複数設けられ、それぞれの前記排水栓を、それぞれに対応する前記操作部で操作するか、あるいは、全ての前記排水栓を前記操作部のうちのいずれか１個で操作するか、を選択可能に構成したことを特徴とする。この構成によれば、浴槽からの湯水の排出量を調整する必要がない場合には、１つの操作部を操作すれば全ての排水栓を開閉できるので、排水栓の操作が簡単となる。また、複数の排水栓を、それぞれに対応する操作部で操作するか、あるいは、複数の排水栓を１個の操作部で操作するか、を選択することができるため、利便性がよい。
【００１４】
請求項８に係る入浴装置は、前記操作部と前記排水栓とはワイヤーとリンク機構のうち少なくとも一方で接続されたことを特徴とする。操作部と排水栓との接続にワイヤーを用いれば、構造が簡単で操作部と排水栓との接続が容易である。また、操作部と排水栓との接続にリンク機構を用いれば、操作部と排水栓との接続部分の耐久性がよい。
【００１５】
請求項９に係る入浴装置は、前記検知部はスイッチまたはセンサであることを特徴とする。この構成により、簡単な構成で操作部の動きを検知することができる。
【００１６】
請求項１０に係る入浴装置は、前記排水栓が開の状態で前記浴槽への湯水の供給が指示されると、排水栓が開のため湯水の供給が禁止されていることを知らせる報知手段を設けたことを特徴とする。この構成によれば、浴槽への湯水の供給指示を行ったにもかかわらず、浴槽への湯水の供給が行われない原因を、入浴者または介助者が知ることができる。
【００１７】
請求項１１に係る入浴装置は、前記操作部は足で操作する部材であることを特徴とする。この構成によれば、他の作業などで手が使えない場合であっても排水栓の開閉を足で操作することができる。
【００１８】
請求項１２に係る入浴装置は、前記貯湯槽から前記浴槽への湯水の供給を開始した後に前記排水栓が開となったとき、前記制御部は前記貯湯槽から前記浴槽への湯水の供給を停止することを特徴とする。この構成によれば、貯湯槽から浴槽への湯水の供給中に誤操作によって排水栓が開となった場合、貯湯槽から浴槽へ無駄に湯水が供給されることを防止することができる。
【発明の効果】
【００１９】
本発明によれば、排水栓を有する浴槽と、貯湯槽とを備えた入浴装置において、排水栓が開の場合、貯湯槽から浴槽への湯水の供給を禁止することができる。このため、入浴する際に排水栓が開の状態で貯湯槽から浴槽へ湯水が供給されることがなく、貯湯槽の湯水が無駄に排出されることを防止することができる。また、入浴時に、貯湯槽に湯水を貯めるための待ち時間の発生を防止することができる。
【図面の簡単な説明】
【００２０】
【図１】本発明の第一の実施形態の入浴装置の外観斜視図であり、浴槽内に車椅子を挿入する前の状態を示す図である。
【図２】同入浴装置の外観斜視図であり、浴槽内に車椅子を挿入した後の状態を示す図である。
【図３】同入浴装置の車椅子の背面図である。
【図４】同入浴装置の浴槽、貯湯槽およびカバーを示す平面図である。
【図５】図４のＡ−Ａ線で切断した断面図である。
【図６】同入浴装置のカバーの一部を切り欠いた浴槽および貯湯槽の斜視図である。
【図７】同入浴装置の操作部および検知部を示す斜視図である。
【図８】同入浴装置の排水栓の開閉状態を示す模式図である。
【図９】同入浴装置の配管系統図である。
【図１０】同入浴装置の制御を説明するためのブロック図である。
【図１１】第二の実施形態による操作部を説明するための図である。
【図１２】第二の実施形態による操作部を説明するための図である。
【図１３】第二の実施形態による操作部を説明するための図である。
【図１４】第三の実施形態による操作部を説明するための図である。
【図１５】第四の実施形態による操作部を説明するための図である。
【発明を実施するための形態】
【００２１】
第一の実施形態にかかる入浴装置の構成について図１〜１０を参照して説明する。図１は浴槽内に車椅子を挿入する前の状態の入浴装置を示す外観斜視図であり、図２は浴槽内に車椅子を挿入した後の状態の入浴装置を示す外観斜視図であり、図３は車椅子の背面図であり、図４は浴槽、貯湯槽およびカバーを示す平面図であり、図５は図４のＡ−Ａ線で切断した断面図であり、図６はカバーの一部を切り欠いた浴槽および貯湯槽の斜視図である。なお、図１に示すように空間軸を定義し、浴槽に対して車椅子を挿入、退出する方向を前後方向とし、高さの方向を上下方向とし、前後方向および上下方向に直交する方向を左右方向とする。
【００２２】
図１〜６に示すように、入浴装置１は、浴槽２と、浴槽２に供給する湯水を貯める貯湯槽３と、浴槽２および貯湯槽３の側面などを覆うカバー２９と、入浴者を載せる車椅子４とから構成される。浴槽２の後面には、車椅子４が出入りするための開口部５が設けられており、開口部５と反対の側（浴槽２の前側）には貯湯槽３が設けられている。浴槽２には、入浴時の各種操作を指示する釦や温度などの情報を表示する表示部を備えた操作パネル２８が設けられている。浴槽２と貯湯槽３とは一体的に組み合わされて形成されているが、別々に離れた構成であってもよい。なお、図１ではカバー２９の一部（一点鎖線で示す部分）を切り欠いて示している。
【００２３】
浴槽２の後面は、車椅子４の背凭れ部６に形成される平坦面と当接する接合面２ｒとなっており、浴槽２の右側の側壁２ａの後面と、浴槽２の左側の側壁２ｂの後面と、浴槽２の底壁２ｃの後面とから構成され、略Ｕ字形状となっている。接合面２ｒは、上方から下方に向かうにしたがって開口部５側から浴槽２の前側の方向（貯湯槽３の方向）に傾斜している。接合面２ｒには弾性ゴムよりなるシールパッキン７が設けられており、車椅子４の背凭れ部６が浴槽２の接合面２ｒに当接したとき、シールパッキン７は背凭れ部６の周縁部（左側、右側および下側）の平坦面と接合面２ｒとの間を水密にシールする。
【００２４】
図４に示すように、浴槽２の底壁２ｃには左右方向に並んで２個の排水栓８ａ、８ｂが設けられており、浴槽２の側壁（右側の側壁）２ａの上面には、排水栓８ａ、８ｂをそれぞれ手動で開閉するための操作部である２個の摘み９ａ、９ｂが設けられている。この構成により、介助入浴を行う介助者は、多くの場合、浴槽２の側壁の傍らに立って介助することから、右側の側壁２ａの傍らに介助者が立った状態で摘み９ａ、９ｂを操作しやすい。なお、摘み９ａ、９ｂを浴槽２の左側の側壁２ｂの上面に設けてもよい。また、側壁２ａ、２ｂの上面ではなく、側壁２ａ、２ｂの側面に摘み９ａ、９ｂを設けてもよい。
【００２５】
浴槽２の側壁２ａ、２ｂそれぞれの内壁面には、ジェット噴流用の噴流口１０が設けられている。浴槽２の側壁２ａ、２ｂそれぞれの上面には、開口部５側に肩掛けシャワー１１が設けられている。浴槽２の側壁２ａ側にはハンドシャワー１２が設けられている。浴槽２の側壁（左側の側壁）２ｂの内壁面には、貯湯槽３から浴槽２へ供給する湯水が流れ出る供給口５５が設けられている。また、図５に示すように、高身長の入浴者が車椅子４に乗って入浴する場合でも脚を伸ばしてゆったりと入浴できるようにするため、浴槽２の前側は貯湯槽３の方へ入り込むように設けられ、貯湯槽３は浴槽２の前側を跨いで配置されている。この構成によって、入浴装置１の前後方向の長さを短くすることができ、広さ制限のある設置場所にも設置することができる。
【００２６】
図６に示すように、浴槽２の下部には互いに平行な左右のガイドレール１３が設けられている。左右のガイドレール１３は浴槽２の後方へ突き出ており、その先端部１３ａは外側方向にハの字状に屈曲形成されている。ガイドレール１３は、車椅子４を浴槽２内に挿入するときのガイドとなる。また、浴槽２の左右の側壁２ａ、２ｂのそれぞれにアクチュエータ１４およびフック部材１５が設けられている。アクチュエータ１４およびフック部材１５は、車椅子４を浴槽２に固定するための固定手段である。車椅子４を浴槽２内に挿入すると、車椅子４の背凭れ部６に設けられた左右のロック金具１６（図１、３参照）にフック部材１５が引っ掛かり、アクチュエータ１４がフック部材１５を回動させることで、フック部材１５がロック金具１６を押圧して車椅子４の背凭れ部６を浴槽２の接合面２ｒに密着させる。これにより、浴槽２の開口部５は車椅子４の背凭れ部６によって閉塞される。また、フック部材１５の先端を、下方を除いて包囲するように防護カバー１７を設けている。防護カバー１７は、フック部材１５を回動させてロック金具１６を押圧するときに、フック部材１５とロック金具１６との間への異物の接近を防いでいる。なお、図１では、浴槽２の右側の側壁２ａに取り付けられた防護カバー１７を省略して示しており、フック部材１５が示されている。
【００２７】
図６に示すように、摘み９ａと排水栓８ａ（図４参照）とはワイヤー１８ａで接続されており、摘み９ｂと排水栓８ｂ（図４参照）とはワイヤー１８ｂで接続されている。また、浴槽２には、入浴装置１の設置場所での排水設備に接続される２個の排水管１９が、それぞれの排水栓８ａ、８ｂに対応して設けられている。摘み９ａ、９ｂと排水栓８ａ、８ｂとはワイヤーで接続されているので、その接続構造が簡単で摘み９ａ、９ｂと排水栓８ａ、８ｂとの接続が容易である。
【００２８】
次に、排水栓を開閉する操作部と排水栓の開閉状態を検知する検知部の構成について説明する。図７は入浴装置の操作部および検知部を示す斜視図である。
図７に示すように、台座２０の上面に設けられた２個の穴に、受け座２１を介して摘み９ａ、９ｂが設けられている。台座２０は浴槽２の右側の側壁２ａに固定される（図６参照）。摘み９ａ、９ｂはそれぞれ下部の軸部材２２とつながっており、軸部材２２は、本体部２２ａと傾斜部２２ｂと先端部２２ｃとから構成されている。本体部２２ａと先端部２２ｃは円柱形状であり、先端部２２ｃは本体部２２ａに比べて外径が小さく、傾斜部２２ｂは本体部２２ａから先端部２２ｃへ行くほど細くなって本体部２２ａと先端部２２ｃとをつないでいる。軸部材２２の先端部２２ｃには、ワイヤー１８ａ、１８ｂが接続されている。本体部２２ａの表面の一部を切り欠いた凹部２２ｄには、径方向に突出した突起２３が設けられている。
【００２９】
また、軸部材２２の傍らには、台座２０にねじで固定された突起規制部材２４が設けられている。突起規制部材２４には、突起２３が挿入されるＬ字形状の溝２５が形成されている。溝２５は、水平方向に形成された水平部２５ａと垂直方向に形成された垂直部２５ｂとから構成されている。溝２５の水平部２５ａの下辺には、垂直部２５ｂ側から台座２０側に向かう途中に段差２５ｃ（垂直部２５ｂ側が台座２０側に比べて高い）が設けられている。
【００３０】
摘み９ａ、９ｂは、突起２３が溝２５の水平部２５ａを移動可能なとき回転可能となっている。また、突起２３が溝２５の垂直部２５ｂを移動可能なとき、摘み９ａ、９ｂを押し込んだり、押し込みを戻したりすることができる。摘み９ａ、９ｂは、押し込まれると押し込まれた所定位置で停止し、その停止した状態の摘み９ａ、９ｂを押して離すことで押し込みが戻されるという機能を有しているが、この機能は、軸部材２２およびワイヤー１８ａ、１８ｂを介して摘み９ａ、９ｂと接続されたスイッチ２６の機能である。図７において、摘み９ａは押し込まれていない状態を示し、摘み９ｂは押し込まれた状態を示している。摘み９ａのように押し込まれていない状態では側壁２ａの表面から突出しているため、手のひらや指で摘み９ａを押しやすく操作性がよい。なお、排水栓の開閉を操作する操作部として、浴槽の側壁の表面から突出した構成ではなく、押し込まれていないときの操作部の表面が浴槽の側壁の表面とほぼ同じ面になっており（図７に示す摘み９ｂのような状態）、その状態から押し込んで排水栓を開にするような構成であってもよい。
【００３１】
図７に示す構成では、摘み９ａを押し込む場合、摘み９ａを所定角度だけ回転（図７では左回転）させて押し込むことになる。突起２３は円柱形状のため、溝２５の段差２５ｃは摘み９ａを左回転させるときの障害にはならない。また、摘み９ｂを押して離すと押し込みが戻され、その後、突起２３が溝２５の段差２５ｃを超えて下がるまで摘み９ｂを回転（図７では右回転）させることで、摘み９ａと同じ状態になる。なお、ばねなどのように復元力が働く部材を用いて、摘み９ｂの押し込みを戻したとき摘み９ｂがひとりでに回転して摘み９ａの状態になるように構成してもよい。摘み９ａ、９ｂの構成によれば、排水栓８ａ、８ｂを開にするために摘み９ａ、９ｂを押し込む際に、摘み９ａ、９ｂを回転させる必要があるので、誤って摘み９ａ、９ｂを押したり、無意識のうちに介助者の腕等が摘み９ａ、９ｂに当たって押され、排水栓８ａ、８ｂが開となることを防止することができる。
【００３２】
軸部材２２を挟んで突起規制部材２４の反対側には、台座２０にねじで固定されたリミットスイッチ２７ａ、２７ｂが設けられている。リミットスイッチ２７ａ、２７ｂは接触子２７ａｃ、２７ｂｃを有している。リミットスイッチ２７ａ、２７ｂは、接触子２７ａｃ、２７ｂｃが、軸部材２２の本体部２２ａおよび傾斜部２２ｂに接触可能であり、軸部材２２の先端部２２ｃには接触しないように配置されている。図７に示すように、摘みが押し込まれていない状態（摘み９ａの状態）では、リミットスイッチ２７ａの接触子２７ａｃは、軸部材２２の先端部２２ｃから離れた状態となり、摘みが押し込まれた状態（摘み９ｂの状態）では、リミットスイッチ２７ｂの接触子２７ｂｃは、軸部材２２の本体部２２ａに接触した状態となる。このため、リミットスイッチ２７ａ、２７ｂによって摘み９ａ、９ｂが押し込まれた状態か、押し込まれていない状態かを検知することができる。すなわち、リミットスイッチ２７ａ、２７ｂは、摘み９ａ、９ｂの動きを検知する検知部である。検知部としてリミットスイッチ２７ａ、２７ｂを用いることで、簡単な構成で摘み９ａ、９ｂの動きを検知することができる。
【００３３】
図８は排水栓８ａ、８ｂの開閉状態を示す模式図である。図８に実線で示すように、摘み９ａ、９ｂが押し込まれていない状態では排水栓８ａ、８ｂは閉じた状態であり、二点鎖線で示すように、摘み９ａ、９ｂが押し込まれた状態では排水栓８ａ、８ｂは開いた状態である。すなわち、摘み９ａ、９ｂを押し込むことにより排水栓８ａ、８ｂが開になり、摘み９ａ、９ｂの押し込みを戻すと排水栓８ａ、８ｂが閉となるように構成されている。この構成により、摘み９ａ、９ｂを押し込み、その押し込みを戻すことで排水栓８ａ、８ｂを開閉できるので、排水栓８ａ、８ｂの開閉操作が容易である。
【００３４】
次に、入浴装置の配管系統について説明する。図９に示すように、水を供給する給水源４０ａに接続された配管３０ａと、湯を供給する給湯源４０ｂに接続された配管３０ｂとが混合弁４５ａに接続されている。混合弁４５ａの下流側には貯湯槽３へ湯水を送るための配管３１ａが接続されている。配管３１ａには流量センサ４６ａと電磁弁４８ａが装着されており、流量センサ４６ａの位置には温度計４７ａが設けられている。配管３１ａの途中（流量センサ４６ａと電磁弁４８ａとの間）で分岐して、湯水を排出するための配管３１ｂが設けられており、配管３１ｂには電磁弁４８ｂが装着されている。
【００３５】
配管３０ａの途中で分岐して配管３２ａが設けられ、配管３０ｂの途中で分岐して配管３２ｂが設けられ、配管３２ａと配管３２ｂとは混合弁４５ｂに接続されている。混合弁４５ｂの下流側には貯湯槽３へ湯水を送るための配管３３ａが接続されている。配管３３ａには流量センサ４６ｂと電磁弁４８ｃが装着されており、流量センサ４６ｂの位置には温度計４７ｂが設けられている。配管３３ａの途中（流量センサ４６ｂと電磁弁４８ｃとの間）で分岐して、ハンドシャワー１２へ湯水を送るための配管３３ｂが設けられており、配管３３ｂには電磁弁４８ｄが装着されている。配管３３ｂの途中（電磁弁４８ｄの上流側）で分岐して、湯水を排出するための配管３３ｃが設けられており、配管３３ｃには電磁弁４８ｅが装着されている。なお、配管３２ａ、３２ｂには、給水源４０ａ、給湯源４０ｂとは別の給水源、給湯源から湯水を供給するように構成してもよい。
【００３６】
貯湯槽３から浴槽２へ湯水を送るための配管３４ａが、浴槽２と貯湯槽３との間を接続して設けられている。配管３４ａには、貯湯槽３側からポンプ４９とモーターバルブ５０が順に装着されている。配管３４ａの途中（貯湯槽３とポンプ４９との間）で分岐して、湯水を排出するための配管３４ｂが設けられており、配管３４ｂには手動バルブ５１が装着されている。
【００３７】
浴槽２には噴流口１０へ湯水を供給するための配管３５が接続され、配管３５にはポンプ５２が装着されている。浴槽２には肩掛けシャワー１１へ湯水を供給するための配管３６が接続され、配管３６にはポンプ５３が装着されている。また、浴槽２には浴槽２内の湯水の水位を「上限」、「適正」、「下限」レベルとして検知するための水位センサ３９ａ、３９ｂ、３９ｃを設け、貯湯槽３には貯湯槽３内の湯水の水位を「上限」、「下限」レベルとして検知するための水位センサ（図示省略）を設けている。貯湯槽３の下部には温度計４７ｃが設けられ、浴槽２の下部には温度計４７ｄが設けられている。
【００３８】
給水源４０ａと給湯源４０ｂからの湯水が混合弁４５ａで混合され、混合された湯水の温度を温度計４７ａで計測し、所定の温度になるまでは電磁弁４８ｂを開にして排出し、所定の温度に達すると電磁弁４８ｂを閉にし、電磁弁４８ａを開にして貯湯槽３に湯水を供給する。混合弁４５ｂで混合される場合も同様にして貯湯槽３やハンドシャワー１２に湯水が供給される。また、貯湯槽３内の湯水の温度を温度計４７ｃで計測し、入浴に適する所定の温度であれば貯湯槽３から浴槽２へ湯水を供給する。浴槽２に備えられた温度計４７ｄで浴槽２に供給される温度を計測し、入浴に適した温度でなければ貯湯槽３からの湯水の供給を停止させる。貯湯槽３の温度計４７ｃが故障していた場合などには、温度計４７ｄの計測結果による湯水の供給停止は有効な手段である。
【００３９】
以上のように、配管３０ａ、３０ｂ、３１ａおよび配管３０ａ、３０ｂ、３２ａ、３２ｂ、３３ａは、給水源４０ａ、給湯源４０ｂから貯湯槽３へ供給する湯水が流れる湯水移送路を構成する。配管３４ａは、貯湯槽３から浴槽２へ供給する湯水が流れる湯水移送路を構成する。配管３０ａ、３０ｂ、３２ａ、３２ｂ、３３ａ、３３ｂは、給水源４０ａ、給湯源４０ｂからハンドシャワー１２へ供給する湯水が流れる湯水移送路を構成する。配管３５は浴槽２から噴流口１０へ供給する湯水が流れる湯水移送路であり、配管３６は浴槽２から肩掛けシャワー１１へ供給する湯水が流れる湯水移送路である。
【００４０】
次に、入浴装置１による入浴方法について説明する。初めに入浴用の湯水を給水源４０ａおよび給湯源４０ｂから貯湯槽３に供給して貯める。その後、介助者が入浴者を載せた車椅子４を一対のガイドレール１３に沿わせながら開口部５から浴槽２内へ挿入し、車椅子４が所定の位置（フック部材１５がロック金具１６に引っ掛かることができる位置）まで挿入された状態（仮ロック状態）になると、操作パネル２８の所定の発光ダイオード（ＬＥＤ）が点灯し、介助者は仮ロック状態になったことを認識する。その後、介助者が操作パネル２８を操作して入浴を指示すると、浴槽２に設けられたアクチュエータ１４によって車椅子４が浴槽２内へ引き込まれ、車椅子４の背凭れ部６によって開口部５が閉塞され、車椅子４が浴槽２に固定される。続いて貯湯槽３から浴槽２へ湯水が供給され、入浴者を入浴に供する。入浴が終わると、介助者は摘み９ａ、９ｂを操作し排水栓８ａ、８ｂを開の状態にして、浴槽２内の湯水を排出する。浴槽２に設けられた水位センサ３９ｃによって浴槽２内の湯水が「下限」レベルに達したことが検知されると、さらに所定時間が経過した後、アクチュエータ１４によって浴槽２に対する車椅子４の固定状態が解除される。その後、介助者が車椅子４を浴槽２内から退出させる。
【００４１】
ここでの所定時間は、水位センサ３９ｃによって浴槽２内の湯水が「下限」レベルに達してから浴槽２内の湯水が無くなる（車椅子４の固定状態を解除しても問題ない程度に湯水が無くなる）までにかかる時間を想定して予め設定されている。ここで、開の状態とする排水栓の数によって所定時間を変えており、開の状態とする排水栓の数が１個の場合に比べ２個の場合には所定時間を短くしている。
【００４２】
入浴装置１では、リミットスイッチ２７ａ、２７ｂによって排水栓８ａ、８ｂが開であることが検知されると、貯湯槽３から浴槽２への湯水の供給が禁止される。このような入浴装置１の制御を説明するためのブロック図を図１０に示す。入浴装置１に備えられた制御部５４は、湯水の移動等を制御するものであり、リミットスイッチ２７ａ、２７ｂからの信号を得てポンプ４９とモーターバルブ５０を制御する。すなわち、リミットスイッチ２７ａ、２７ｂからの信号によって排水栓８ａ、８ｂが開であるか閉であるかを検知する。そして、２つの排水栓８ａ、８ｂのうち少なくとも一つが開であれば、貯湯槽３から浴槽２への湯水の供給を禁止する。具体的には、制御部５４がポンプ４９の動作を禁止するとともにモーターバルブ５０を閉にした状態（湯水供給禁止状態）にする。そして、介助者などによって操作パネル２８が操作されて貯湯槽３から浴槽２への湯水の供給が指示された場合でも、２つの排水栓８ａ、８ｂのうち少なくとも一つが開であれば、制御部５４は湯水供給禁止状態を維持するため、貯湯槽３から浴槽２への湯水は供給されない。
【００４３】
また、貯湯槽３から浴槽２への湯水の供給を開始した後、誤操作によって２つの排水栓８ａ、８ｂのうち少なくとも一つが開となっても、制御部５４は貯湯槽３から浴槽２への湯水の供給を禁止するため、貯湯槽３から浴槽２への湯水の供給が停止する。このため、貯湯槽３から浴槽２へ無駄に湯水が供給されることを防止することができる。
【００４４】
このように、リミットスイッチ２７ａ、２７ｂによって排水栓８ａ、８ｂのうち少なくとも一つが開であることが検知されると貯湯槽３から浴槽２への湯水の供給を禁止するので、入浴する際に排水栓８ａ、８ｂが開の状態で貯湯槽３から浴槽２へ湯水が供給されることがなく、貯湯槽３の湯水が無駄に排出されることを防止することができる（湯水の無駄排出の防止）。また、一旦浴槽２への湯水の供給を開始してから湯水の検出を行い、排水栓８ａ、８ｂが開の状態にあると認識して浴槽２への湯水の供給を停止していては、貯湯槽３の湯水がほとんどない状態となり、再度入浴するためには、貯湯槽３に湯水を貯めるための待ち時間が発生する。しかしながら、入浴装置１では操作部の動きを検知する検知部によって排水栓の開閉状態を検知するので、このような待ち時間の発生を防止することができる（待ち時間発生の防止）。なお、排水栓の数に関係なく上記の効果（湯水の無駄排出の防止、待ち時間発生の防止）を得ることができ、排水栓の数は１個でもよく２個以上の複数でもよい。
【００４５】
入浴装置１では、摘み９ａ、９ｂおよびリミットスイッチ２７ａ、２７ｂは、それぞれの排水栓８ａ、８ｂに対して設けられているので、２個の排水栓８ａ、８ｂのそれぞれに対して開閉状態を選択することができ、浴槽２からの湯水の排出量を調整することができる。このため、入浴装置１を設置する場所（例えば介護施設や病院など）の排水処理能力に合わせて湯水を排出することができ、利便性が向上する。
【００４６】
また、入浴装置１には、２つの排水栓８ａ、８ｂのうち少なくとも一つが開となっている状態で浴槽２への湯水の供給が指示されると、排水栓が開のため湯水の供給が禁止されていることを知らせる報知手段が設けられており、例えば表示（点滅）と音で報知する。表示で報知する場合、報知手段として例えば操作パネル２８が用いられる。音で報知する場合、報知手段として例えばスピーカ（図示省略）が用いられる。図１０では、入浴装置１に備えられた制御部５４が、リミットスイッチ２７ａ、２７ｂからの信号に基づいて報知手段としての操作パネル２８を制御することを示している。なお、報知手段として、表示と音のうち少なくとも一方で報知する手段を用いればよい。報知手段によって、浴槽２への湯水の供給指示を行ったにもかかわらず実行されない原因を、入浴者または介助者が知ることができる。
【００４７】
上記第一の実施形態では、２個の排水栓８ａ、８ｂそれぞれに対応して操作部（摘み９ａ、９ｂ）を設け、対応する操作部（摘み９ａ、９ｂ）によって各排水栓８ａ、８ｂの開閉動作を行うようにしていた。第二の実施形態では、このような機能を残しつつ、いずれか一方の操作部（例えば摘み９ｂ）で２個の排水栓８ａ、８ｂの同時開閉動作も可能にしたものである。これにより利便性が向上する。これを実現する構成を図１１〜１３を用いて説明する。なお、図７と同じ構成については同じ符号を用いており、説明が重複する部分は適宜説明を省略する。
【００４８】
図１１〜１３に示すように、軸部材２２の傍らには、台座２０にねじで固定された突起規制部材５６が設けられている。突起規制部材５６は、台座２０に固定される被固定部５６ａと、被固定部５６ａから台座２０に垂直な方向に屈曲した垂直部５６ｂと、垂直部５６ｂから台座２０に平行な方向に屈曲した平行部５６ｃとからなる。突起規制部材５６の垂直部５６ｂおよび平行部５６ｃには、突起２３が挿入される溝５７が形成されている。溝５７は、垂直方向に形成された第１垂直部５７ａと、垂直方向に形成された第２垂直部５７ｂとから構成され、上部で互いに連通している。溝５７の第１垂直部５７ａは突起規制部材５６の垂直部５６ｂに形成され、溝５７の第２垂直部５７ｂは突起規制部材５６の平行部５６ｃに形成されている。
【００４９】
摘み９ｂに接続された軸部材２２には、突起２３の上方に連動突起５８が設けられている。連動突起５８は円柱形状であり、突起２３の中心軸と連動突起５８の中心軸とは上方から見てほぼ直交するように配置されている。連動突起５８が接触し摘み９ｂの動作を摘み９ａに伝えるための連動部材５９が、摘み９ａに接続された軸部材２２に嵌って上下方向に移動可能に設けられている。摘み９ａに接続された軸部材２２には、連動部材５９を受ける受け部材６０が設けられ、受け部材６０は例えば軸部材２２に挿入されるピンで構成される。摘み９ａと摘み９ｂとの間には、台座２０にねじで固定されたガイド固定部６１が設けられ、ガイド固定部６１には下方に延びた円柱形状の移動ガイド６２が設けられている。移動ガイド６２は、連動部材５９の中央部分に設けられた穴５９ａに挿入されている。自重によって受け部材６０に載った状態の連動部材５９は、移動ガイド６２によってほぼ水平状態を保っている。移動ガイド６２は、連動部材５９が上下方向に移動するときのガイドの役割をする。
【００５０】
図１１および図１２は、摘み９ａ、９ｂのそれぞれを操作して排水栓８ａ、８ｂを開閉する場合を示したものである。図１１は摘み９ａ、９ｂを押し込んで排水栓８ａ、８ｂを開の状態にした場合であり、図１２は摘み９ａ、９ｂの押し込みを戻して排水栓８ａ、８ｂを閉の状態にした場合である。ここで、摘み９ｂに設けられたマーク６４を受け座２１に設けられた第１マーク６５ａに合わせた状態で摘み９ｂを操作する（押し込む、または押し込みを戻す）ことで、摘み９ａと摘み９ｂとはそれぞれ個別に操作することができる。
【００５１】
図１３は摘み９ｂによって２個の排水栓８ａ、８ｂの両方を開閉する場合を示すものである。図１２の状態にある摘み９ｂを左回転させて、摘み９ｂに設けられたマーク６４を受け座２１に設けられた第２マーク６５ｂに合わせる。この場合、連動突起５８が連動部材５９と接触可能な位置に移動し、摘み９ｂを押し込むと摘み９ａも一緒に押し込まれることになる。図１３は摘み９ｂとともに摘み９ａが押し込まれた状態を示している。この状態から摘み９ｂを押して離せば、スイッチ２６の働きによって摘み９ａ、９ｂの押し込みが戻される。
【００５２】
図１１〜１３を用いて説明した構成によれば、浴槽からの排水量を調整する必要がない場合には、１つの操作部を操作すれば全ての排水栓を開閉できるので、排水栓の操作が簡単となる。また、摘み９ｂの回転位置を変えるだけで、２個の排水栓８ａ、８ｂを、それぞれに対応する摘み９ａ、９ｂで操作するか、あるいは、２個の排水栓８ａ、８ｂを１個の摘み９ｂで操作するか、を選択することができるため、利便性がよい。
【００５３】
上記第一および第二の実施形態では、排水栓の開閉を操作する操作部として手で操作する摘みの例を説明したが、操作部は足で操作する部材であってもよい。足で操作する部材として、例えば釦やペダルを用いることができる。図１４は、浴槽２の側面の下部にカバー２９の表面から突出した２個の釦６３ａ、６３ｂを設けた第三の実施形態の例を示している。釦６３ａ、６３ｂと排水栓８ａ、８ｂとはそれぞれ不図示のワイヤーで接続されており、釦６３ａ、６３ｂを足で押し込むことで排水栓８ａ、８ｂが開となり、押し込まれた釦６３ａ、６３ｂを足で押して離すことで押し込みが戻されて排水栓８ａ、８ｂが閉となるように構成されている。また、釦６３ａ、６３ｂの動きを検知する検知部として、リミットスイッチを釦６３ａ、６３ｂの近傍に設ければよい。
【００５４】
図１５は、操作部が足踏みペダルである第四の実施形態の例を示している。ペダル７０は、ペダル片７０ａと踏み板７０ｂとからなる。ペダル片７０ａは途中で屈曲したへの字の形状であり、浴槽２に固定された取付軸７１にペダル片７０ａの屈曲部分が取り付けられている。すなわち、ペダル７０は取付軸７１の周りに回動可能な状態で浴槽２に取り付けられている。ペダル片７０ａの一端部（踏み板７０ｂとは反対側の端部）は第１連結部７２であり、第１連結部７２とばね端固定部７３との間にばね７４が架け渡されている。第１連結部７２には第１連結片７５が回動可能に連結され、第１連結片７５には棒状の第１ロッド７６の一端が接続されている。第１ロッド７６の他端には第２連結片７７が接続され、第２連結片７７は第２連結部７８に回動可能に連結されている。また、第２連結部７８には第３連結片７９が連結され、第３連結片７９には棒状の第２ロッド８０の一端が接続されており、第３連結片７９および第２ロッド８０は水平方向に移動する。第２ロッド８０の他端には第１スライドブロック８１が設けられ、第１スライドブロック８１と斜辺同士で接触した第２スライドブロック８２が設けられている。第２スライドブロック８２の上面には排水栓８ａ、８ｂと接続された棒状の第３ロッド８３が設けられている。第３ロッド８３には圧縮ばね８４が挿入され、圧縮ばね８４の上端部は、上方向に移動しないように排水管１９に固定されたばね規制部８５によって位置規制されている。図１５において、第２ロッド８０が右方向に移動すると、第１スライドブロック８１と第２スライドブロック８２の摺動により、第２スライドブロック８２と第３ロッド８３が上昇し、排水栓８ａ、８ｂが開の状態となる。第２ロッド８０が左方向に移動すると、圧縮ばね８４の作用によって第２スライドブロック８２と第３ロッド８３が下降し、排水栓８ａ、８ｂが閉の状態となる。
【００５５】
ペダル７０の動きを検知する検知部として、例えばリミットスイッチをペダル７０、第３連結片７９または第２ロッド８０などの近傍に設ければよい。図１５には、リミットスイッチ８６をペダル７０の近傍に設けた例を示している。また、ペダル７０は浴槽２の側壁の下部近傍に配置すればよく、複数のペダル７０を設ける場合、複数の排水栓は浴槽２の底壁２ｃに前後方向に並べて配置すればよい。
【００５６】
図１５に実線で示すように、ペダル７０が下方に位置するときは、第１ロッド７６や第２ロッド８０により排水栓８ａ、８ｂが閉の状態となる。この状態では、ばね７４によって、取付軸７１の周りにペダル片７０ａを左回転させようとする力が加わっているが、第１ストッパー８７によって実線で示すペダル７０の状態からさらに左回転することを止めているため、実線で示すペダル７０の状態が保持される。
【００５７】
また、図１５に二点鎖線で示すように、ペダル７０が上方に位置するときは、第１ロッド７６や第２ロッド８０により排水栓８ａ、８ｂが開の状態となる。この状態では、ばね７４によって、取付軸７１の周りにペダル片７０ａを右回転させようとする力が加わっているが、第２ストッパー８８によって二点鎖線で示すペダル７０の状態からさらに右回転することを止めているため、二点鎖線で示すペダル７０の状態が保持される。
【００５８】
図１４または図１５を用いて説明したように、操作部を足で操作する部材で構成すれば、他の作業などで手が使えない場合であっても排水栓の開閉を足で操作することができる。また、図１５は操作部（ペダル７０）と排水栓８ａ、８ｂとをリンク機構を用いて接続した一例であり、前述した第一ないし第三の実施形態における摘み９ａ、９ｂと排水栓８ａ、８ｂとをリンク機構を用いて接続してもよい。操作部と排水栓との接続にリンク機構を用いることで、操作部と排水栓との接続部分の耐久性がよい。なお、ワイヤーとリンク機構を組み合わせたもので操作部と排水栓とを接続してもよい。すなわち、ワイヤーとリンク機構のうち少なくとも一方で操作部と排水栓とを接続してもよい。
【００５９】
前述した第一ないし第四の実施形態では、検知部としてリミットスイッチを用いたが、センサ（近接センサや光電センサ）を用いてもよい。また、検知部を操作部（摘み９ａ、９ｂ）の近傍に設置したが、操作部の動きを検知することができれば検知部をどこに設置してもよい。例えば、排水栓の近傍や、操作部と排水栓とを接続する接続部材（ワイヤーやリンク片）の動きが検知できる位置であればよい。
【００６０】
前述した第一ないし第四の実施形態では、２個の排水栓とそれぞれの排水栓を開閉する２個の操作部が設けられた構成や、１個の排水栓と１個の操作部とが対になってこの排水栓と操作部との対が２個設けられ、それぞれの排水栓を、それぞれに対応する操作部で操作するか、あるいは、２個の排水栓を２個の操作部のうちどちらか１個で操作するか、を選択可能にした構成を例にあげて説明した。しかし、複数の排水栓とそれぞれの排水栓を開閉する１個の操作部とが設けられた構成であってもよい。例えば、１個の操作部と複数の排水栓とをそれぞれワイヤーで接続すればよい。この構成によれば、１つの操作部を操作すれば全ての排水栓を開閉できるので、排水栓の操作が簡単となる。
【００６１】
前述した第一ないし第四の実施形態では、車椅子の背凭れ部によって浴槽の開口部を閉塞する構成の入浴装置であったが、車椅子を浴槽内に挿入して浴槽の開閉扉で浴槽の開口部を閉塞する構成の入浴装置や、車椅子から浴槽に移乗して浴槽の開閉扉で浴槽の開口部を閉塞する構成の入浴装置など、貯湯槽および浴槽を備えた入浴装置に広く適用可能である。
【産業上の利用可能性】
【００６２】
貯湯槽および浴槽を備え、貯湯槽から浴槽に湯水を供給する入浴装置に適用することができる。
【符号の説明】
【００６３】
１    入浴装置
２    浴槽
２ａ  右側の側壁
２ｂ  左側の側壁
３    貯湯槽
４    車椅子
８ａ、８ｂ  排水栓
９ａ、９ｂ  摘み（操作部）
１８ａ、１８ｂ  ワイヤー
２７ａ、２７ｂ  リミットスイッチ（検知部）
２７ａｃ、２７ｂｃ  接触子
２８  操作パネル（報知手段）
３０ａ、３０ｂ、３１ａ、３１ｂ、３２ａ、３２ｂ  配管
３３ａ、３３ｂ、３３ｃ、３４ａ、３４ｂ、３５、３６  配管
４９  ポンプ
５０  モーターバルブ
５４  制御部
６３ａ、６３ｂ  釦
７０  ペダル
【図１】
2018080892.tif 000003
【図２】
2018080892.tif 000004
【図３】
2018080892.tif 000005
【図４】
2018080892.tif 000006
【図５】
2018080892.tif 000007
【図６】
2018080892.tif 000008
【図７】
2018080892.tif 000009
【図８】
2018080892.tif 000010
【図９】
2018080892.tif 000011
【図１０】
2018080892.tif 000012
【図１１】
2018080892.tif 000013
【図１２】
2018080892.tif 000014
【図１３】
2018080892.tif 000015
【図１４】
2018080892.tif 000016
【図１５】
2018080892.tif 000017